(57)【要約】【課題】主柱材を地面に支持するコンクリート基礎部の湿潤による腐食を防ぐことを可能にする鉄塔、雨水排水装置及び塵芥除けを提供する。【解決手段】鉄塔１は、例えば送電線を架設する送電線鉄塔である。鉄塔１は柱材として、コンクリート基礎部２により地面３に支持された主柱材４、主柱材４同士を連結する水平桁材５、及び主柱材４、水平桁材５同士を連結する斜材６を備えて構成される。鉄塔１においては、主柱材４は鉛直方向に対して所定の角度を有している。主柱材４、水平桁材５及び斜材６の各柱材は、断面がＬ字状となる山形鋼（アングル材）又はパイプ状の鋼管が使用される。また、鉄塔１の主柱材４及び斜材６には、各柱材を伝わる雨水を集水して排水するための雨水排水装置７が備えられる。更に、鉄塔１のコンクリート基礎部２上部の主柱材４近傍には、葉っぱ、埃等の塵芥の付着を防ぐ塵芥除け８が設置される。【選択図】        図１
2008180032.tif 000002
【特許請求の範囲】
【請求項１】
柱材がコンクリート基礎部で地面に支持される鉄塔において、
前記柱材に取り付けられる取り付け部材を有し、前記柱材を伝わる雨水による前記コンクリート基礎部の湿潤を防ぐ湿潤防止手段を備えた
ことを特徴とする鉄塔。
【請求項２】
前記湿潤防止手段として、前記柱材を伝う雨水を集水する溝部と、下端部が開放された、前記溝部により集水された雨水を排水する排水端部とを備え、
前記溝部により集水された雨水を、前記排水端部より前記柱材の外部に排水する向きに、前記取り付け部材により前記柱材に取り付けられる雨水排水装置を備えた
ことを特徴とする請求項１記載の鉄塔。
【請求項３】
前記湿潤防止手段として、前記取り付け部材と連結されて前記取り付け部材の下方に位置し、所定の大きさの網部を上下方向に保持する棒状の第一保持材と、前記第一保持材の下端部近傍に連結され、前記網部を左右方向に保持する棒状の第二保持材とを有し、
前記コンクリート基礎部の上部で前記柱材近傍への塵芥の付着を防ぐ塵芥除けを備えた
ことを特徴とする請求項１記載の鉄塔。
【請求項４】
鉄塔の柱材を伝う雨水を集水して排水する雨水排水装置であって、
前記柱材を伝う雨水を集水する溝部と、前記溝部の下端部を開放して設けられ、前記溝部により集水された雨水を排水する排水端部と、前記柱材に取り付けられる磁石とを有する集排水部材を備え、
前記集排水部材は、前記溝部により集水された雨水を、前記排水端部より前記柱材の外部に排水する向きに、前記磁石により取り付けられる
ことを特徴とする雨水排水装置。
【請求項５】
当該雨水排水装置は、断面がＬ字状となる山形鋼により構成される柱材に取り付けられ、
二つの前記集排水部材と、
前記柱材の外側又は内側の二面に、二つの前記集排水部材がそれぞれ取り付けられるように、二つの前記集排水部材を連結する連結部材とを備えた
ことを特徴とする請求項４記載の雨水排水装置。
【請求項６】
当該雨水排水装置は、鋼管により構成される柱材に取り付けられ、
前記溝部は、両端部が排水端部として開放され、
前記各排水端部の下方に位置し、前記各排水端部から排出される排水を集水して排水する第二集排水部材を備えた
ことを特徴とする請求項４記載の雨水排水装置。
【請求項７】
主柱材がコンクリート基礎部で地面に支持される鉄塔で、前記コンクリート基礎部上部の前記主柱材近傍への塵芥の付着を防ぐ塵芥除けであって、
磁石により前記主柱材に取り付けられる取り付け部材と、
前記取り付け部材と連結されて前記取り付け部材の下方に位置し、所定の大きさの網部を上下方向に保持する棒状の第一保持材と、
前記第一保持材の下端部近傍に連結され、前記網部を左右方向に保持する棒状の第二保持材とを備えた
ことを特徴とする塵芥除け。
【請求項８】
前記第一保持材は、前記取り付け部材に所定量回動可能に連結され、
前記第二保持材は、前記第一保持材に所定量回動可能に連結された
ことを特徴とする請求項７記載の塵芥除け。
【請求項９】
前記取り付け部材は、前記第一保持材に連結された連結部と、前記連結部に所定量回動可能に取り付けられ、前記磁石により前記主柱材に取り付けられる取り付け部とを備えた
ことを特徴とする請求項７又は８記載の塵芥除け。
【発明の詳細な説明】
【技術分野】
【０００１】
本発明は、柱材がコンクリート基礎部で地面に支持される鉄塔、この鉄塔に設置される雨水排水装置及び塵芥除けに関する。詳しくは、柱材を伝わる雨水によるコンクリート基礎部の湿潤を防ぐ湿潤防止手段を備えることにより、コンクリート基礎部の湿潤による腐食を防ぐことを可能とするものである。
【背景技術】
【０００２】
一般に、送電線鉄塔等の各種の鉄塔では、断面がＬ字状となる山形鋼（アングル材）又はパイプ状の鋼管が柱材として使用される。鉄塔は、柱材として、コンクリート基礎部により地面に支持される主柱材と主柱材同士を連結する斜材等とを有する。また、各柱材に降り注いだ雨水の多くは、各柱材を伝わり主柱材を介してコンクリート基礎部にしみこまれる。
【０００３】
鉄塔の各柱材を伝わる雨水に関して、雨水が鉄塔の特定の箇所から集中的に落下することを防ぐための各種装置が提案されている（例えば特許文献１から３参照）。
【０００４】
特許文献１には、鋼管を柱材として使用する鉄塔において、雨水の特定箇所からの集中落下を防ぐ雨水止具が提案されている。特許文献１に記載される雨水止具は、帯状のバンドにより鋼管の周囲に固定される鍔状の遮水板を有する第一水切り具と、バインド線材により鋼管の周囲に固定される管材を有する第二水切り具とを備え、鉄塔において雨水の特定箇所からの集中落下を防ぐものである。
【０００５】
特許文献２には、鋼管を柱材として使用する鉄塔において、雨水の特定箇所からの集中落下を防ぐ主柱用雨水排出装置が提案されている。特許文献２に記載される主柱用雨水排出装置は、締結ボルトにより鋼管の周囲に固定される環状の集水溝と、集水溝に連設された導水部及び流下誘導部材を備え、鉄塔において雨水の特定箇所からの集中落下を防ぐものである。
【０００６】
特許文献３には、鋼管を柱材として使用する鉄塔において、雨水の特定箇所からの集中落下を防ぐ斜材用雨水排出装置が提案されている。特許文献３に記載される斜材用雨水排出装置は、芯材及び締結具により鋼管の周囲に固定されるチューブ状体を備え、鉄塔において雨水の特定箇所からの集中落下を防ぐものである。
【０００７】
また上記とは別に、鉄塔のコンクリート基礎部の雨水による腐食を防止する鉄塔基礎の腐食防止カバーが提案されている（例えば特許文献４参照）。特許文献４に記載される鉄塔基礎の腐食防止カバーは、主柱材の下部よりコンクリート基礎部の地上にかけて、設置用ゴム磁石により傘状カバーを水密に取り付けることにより、雨水のコンクリート基礎部への浸入を防ぎ、コンクリート基礎部の雨水による腐食を防止するものである。
【０００８】
【特許文献１】特開２００４−１０７８８１号公報
【特許文献２】実開平５−８７１６２号公報
【特許文献３】実開平５−８７１６３号公報
【特許文献４】実開平７−２１９３０号公報
【発明の開示】
【発明が解決しようとする課題】
【０００９】
しかし、前述した従来の鉄塔においては、次のような問題がある。従来の鉄塔においては、各柱材を伝わってコンクリート基礎部にしみこんだ雨水により、コンクリート基礎部、及び主柱材の下端部近傍が腐食してしまう問題がある。
【００１０】
また、コンクリート基礎部の上部で主柱材近傍には、葉っぱ・埃等の塵芥が溜まりやすい。このため、コンクリート基礎部の上部で主柱材近傍に溜まった塵芥に、各柱材を伝わった雨水がしみこむことにより、コンクリート基礎部、及び主柱材の下端部近傍が、更に腐食してしまう問題がある。
【００１１】
また、特許文献１に記載される雨水止具、特許文献２に記載される主柱用雨水排出装置及び特許文献３に記載される斜材用雨水排出装置は、それぞれ、鋼管を柱材として使用する鉄塔に取り付けられるものであり、山形鋼（アングル材）を柱材として使用する鉄塔には取り付けることができない問題がある。また、特許文献１に記載される雨水止具は、帯状のバンド又はバインド線材により鋼管の周囲に固定されるものであり、特許文献２に記載される主柱用雨水排出装置は、締結ボルトにより鋼管の周囲に固定されるものであり、特許文献３に記載される斜材用雨水排出装置は、芯材及び締結具により鋼管の周囲に固定されるものである。よって、特許文献１から３に記載される各装置は、それぞれ柱材に対する取り付け作業を容易に行うことができない問題がある。
【００１２】
また、特許文献４に記載される鉄塔基礎の腐食防止カバーは、主柱材の周囲全体を覆って取り付けるものであり、主柱材において斜材が連結されている箇所には取り付けることができない問題がある。更に、特許文献４に記載される鉄塔基礎の腐食防止カバーは、コンクリート基礎部を水密に覆うためコンクリート基礎部が湿潤し、腐食し易くなる問題がある。
【００１３】
本発明はこのような問題を解決するためになされたもので、主柱材を地面に支持するコンクリート基礎部の湿潤による腐食を防ぐことを可能にする鉄塔、雨水排水装置及び塵芥除けを提供することを目的とする。
【課題を解決するための手段】
【００１４】
上述した問題を解決するため、本発明に係る鉄塔は、柱材がコンクリート基礎部で地面に支持される鉄塔において、柱材に取り付けられる取り付け部を有し、柱材を伝わる雨水によるコンクリート基礎部の湿潤を防ぐ湿潤防止手段を備えたことを特徴とするものである。
【００１５】
本発明に係る鉄塔は、取り付け部の磁石により柱材に取り付けられた湿潤防止手段を備える。この湿潤防止手段により、柱材を伝わる雨水によるコンクリート基礎部の湿潤を回避できる。
【００１６】
上述した問題を解決するため、本発明に係る雨水排水装置は、鉄塔の柱材を伝う雨水を集水して排水する雨水排水装置であって、柱材を伝う雨水を集水する溝部と、溝部の下端部を開放して設けられ、溝部により集水された雨水を排水する排水端部と、柱材に取り付けられる磁石とを有する集排水部材を備え、集排水部材は、溝部により集水された雨水を、排水端部より柱材の外部に排水する向きに、磁石により取り付けられることを特徴とするものである。
【００１７】
本発明に係る雨水排水装置では、下端部が排水端部として開放された溝部が、磁石により鉄塔の柱材に取り付けられる。この時、排水端部は、溝部の最下部に位置した状態となる。
【００１８】
また、本発明に係る雨水排水装置では、鉄塔の柱材を伝う雨水は、柱材に取り付けられた集排水部材の溝部により集水される。溝部により集水された雨水は、溝部内を流れ、排水端部より雨水排水装置の外部に排水される。
【００１９】
上述した問題を解決するため、本発明に係る塵芥除けは、主柱材がコンクリート基礎部で地面に支持される鉄塔で、コンクリート基礎部上部の主柱材近傍への塵芥の付着を防ぐ塵芥除けであって、磁石により主柱材に取り付けられる取り付け部材と、取り付け部材と連結されて取り付け部材の下方に位置し、所定の大きさの網部を上下方向に保持する棒状の第一保持材と、第一保持材の下端部近傍に連結され、網部を左右方向に保持する棒状の第二保持材とを備えたことを特徴とするものである。
【００２０】
本発明に係る塵芥除けでは、取り付け部材が、磁石により主柱材のコンクリート基礎部の近傍に取り付けられる。また本発明に係る塵芥除けでは、取り付け部材に連結された第一保持材及び第一保持材に連結された第二保持材により、所定の大きさの網部が、上下及び左右方向に広げられた状態で、取り付け部材の下方で保持される。これにより、コンクリート基礎部上部の主柱材近傍の箇所が、網部により覆われた状態となる。
【発明の効果】
【００２１】
本発明に係る鉄塔では、湿潤防止手段により柱材を伝わる雨水によるコンクリート基礎部の湿潤を回避できる。これにより、コンクリート基礎部の湿潤による腐食を防ぐことが可能となる。
【００２２】
本発明に係る雨水排水装置では、鉄塔の柱材を伝う雨水は、柱材に取り付けられた集排水部材の溝部により集水され、排水端部より雨水排水装置の外部に排水される。これにより、柱材を伝わってコンクリート基礎部にしみこむ雨水の量を減らし、コンクリート基礎部の湿潤による腐食を防ぐことが可能となる。
【００２３】
また、本発明に係る雨水排水装置は、集排水部材が、磁石により鉄塔の柱材の所定の位置に取り付けられる。これにより、主柱に対する取り付けを任意の位置に容易に行うことが可能となる。
【００２４】
本発明に係る塵芥除けでは、コンクリート基礎部上部の主柱材近傍の箇所が、網部により覆われた状態となり、コンクリート基礎部上部の主柱材近傍への塵芥の付着が防がれ、塵芥にしみこんだ雨水によるコンクリート基礎部の湿潤を防ぐことができる。これにより、コンクリート基礎部の下端部近傍の湿潤による腐食を防ぐことが可能となる。
【００２５】
また、本発明に係る塵芥除けは、取り付け部材が磁石により主柱材のコンクリート基礎部の近傍に取り付けられて、コンクリート基礎部上部の主柱材近傍に設置される。これにより、コンクリート基礎部上部の主柱材近傍への設置を容易に行うことが可能となる。
【発明を実施するための最良の形態】
【００２６】
以下図面を参照して、本発明の鉄塔、雨水排水装置及び塵芥除けについて説明する。
【００２７】
＜本実施の形態の鉄塔の構成例＞
図１は、本実施の形態の鉄塔１の構成例を示す説明図である。鉄塔１は、例えば送電線を架設される送電線鉄塔である。鉄塔１は柱材として、コンクリート基礎部２により地面３に支持された主柱材４、主柱材４同士を連結する水平桁材５、及び主柱材４、水平桁材５同士を連結する斜材６を備えて構成される。図１に示す鉄塔１においては、主柱材４は鉛直方向に対して所定の角度を有している。主柱材４、水平桁材５及び斜材６の各柱材は、断面がＬ字状となる山形鋼（アングル材）又はパイプ状の鋼管が使用される。
【００２８】
また、鉄塔１の主柱材４及び斜材６には、各柱材を伝わる雨水を集水して排水するための雨水排水装置７が備えられる。雨水排水装置７の構成の詳細については後述する。更に、鉄塔１のコンクリート基礎部２上部の主柱材４近傍には、塵芥除け８が設置される。塵芥除け８の構成については後述する。
【００２９】
＜第１の実施の形態の雨水排水装置の構成例＞
次に、本発明の雨水排水装置の第１の実施の形態について説明する。図２から図５は、第１の実施の形態の雨水排水装置７ａの構成を示す説明図である。図２は後述する柱材９の外側の面に取り付けられる雨水排水装置７ａの構成を示す平面図であり、図３は後述する柱材９の外側の面に取り付けられる雨水排水装置７ａの構成を示す側面図であり、図２のＢから見た状態を示す。図４は後述する柱材９の内側の面に取り付けられる雨水排水装置７ａの構成を示す平面図であり、図５は後述する柱材９の内側の面に取り付けられる雨水排水装置７ａの構成を示す側面図であり、図４のＨからみた状態を示す。
【００３０】
図２から図５に示すように、雨水排水装置７ａは、断面がＬ字状となる山形鋼（アングル材）により構成される主柱材４又は斜材６の柱材９に取り付けられる。雨水排水装置７ａは、柱材９の外側の面Ｃ，Ｄ又は、内側の面Ｉ，Ｊに設置される。
【００３１】
図２から図５に示すように、雨水排水装置７ａは、一方の端部が排水端部１１ａとして開放された排水溝１１ｂを有する排水レール１１と、複数の排水レール１１を連結する連結部材１３とを備えて構成される。雨水排水装置７ａは、例えば４つの排水レール１１を備えて構成され、柱材９に設置された状態において、面Ｃ及びＤ（又は面Ｉ及びＪ）にそれぞれ二つずつ排水レール１１が取り付けられた状態となる。また、雨水排水装置７ａが柱材９に設置された状態において、面Ｃ及びＤ（又は面Ｉ及びＪ）にそれぞれ取り付けられる二つの排水レール１１は、図３の矢印Ｇ及び図５の矢印Ｍに示すように所定の間隔を有する。排水溝１１ｂは溝部の一例であり、排水レール１１は集排水部材の一例である。
【００３２】
また図３のＥ及び図５のＫに示すように、雨水排水装置７ａが柱材９に設置された状態において、各排水レール１１は、柱材９の設置角度の垂直方向に対して所定の角度を有する。更に図３のＦ及び図５のＬに示すように、雨水排水装置７ａが柱材９に設置された状態において、各排水レール１１は、柱材９の端部から所定の長さ突出する。
【００３３】
また、排水レール１１はゴム磁石１１ｃを有し、連結部材１３はゴム磁石１３ａを有する。このゴム磁石１１ｃ及び１３ａにより、排水レール１１及び連結部材１３は柱材９に対して設置される。これにより、雨水排水装置７ａの柱材９に対する取り付けを容易に行うことが可能となる。
【００３４】
ゴム磁石１１ｃ及び１３ａは、例えば、鋏等により容易に切断可能なゴム磁石により構成される。更に排水レール１１は、例えばゴム等の、鋏等により容易に切断可能な半軟性の部材により構成される。これにより、柱材９の大きさ・形状、図３のＦ及び図５のＬに示す排水レール１１の突出量等に合わせて、雨水排水装置７ａの設置現場で、作業員により排水端部１１ａの切断を行うことが可能になる。よって、柱材９の大きさ等に合わせて、別々の排出レール１１を有する雨水排水装置７ａを用意する必要がなくなる。
【００３５】
更に、図２から図５に示した雨水排水装置７ａでは、４つの排水レール１１を備え、柱材９に設置された状態では、外側の面Ｃ，Ｄ（又は内側の面Ｉ，Ｊ）にそれぞれ取り付けられる２つの排水レール１１が、図３のＧ（又は図５のＭ）に示すように所定の間隔で連結されるとした。これにより、柱材９に対して安定して取り付けられることが可能となる。
【００３６】
これとは別に、雨水排水装置７ａが、例えば２つ、３つ、５つ等の排水レール１１を備え、柱材９に設置された状態では、それぞれの排水レール１１が柱材９の外側の面Ｃ，Ｄ（又は内側の面Ｉ，Ｊ）の両方又は片方に取り付けられるように連結部材１３により連結されるとしてもよい。
【００３７】
＜第１の実施の形態の雨水排水装置の雨水排水例＞
次に雨水排水装置７ａによる、柱材９を伝う雨水の集水及び排水の例について説明する。柱材９を伝う雨水は、排水レール１１の排水溝１１ｂにより集水され、図２から図５の太矢印に示すように、排水溝１１ｂ内を流れて排水端部１１ａより雨水排水装置７ａの外部に排出される。
【００３８】
ここで図２から図５に示す雨水排水装置７ａにおいては、図３の矢印Ｅ及び図５の矢印Ｋに示すように、各排水レール１１は、柱材９の設置角度の垂直方向に対して所定の角度を有する。これにより、排水溝１１ｂで集水された雨水の排水溝１１ｂ内の流れを促進することができ、雨水の集水及び排水を効率よく行うことが可能となる。
【００３９】
また、図３のＦ及び図５のＬに示すように、雨水排水装置７ａ各排水レール１１は、柱材９の端部から所定の長さ突出する。これにより、雨水排水装置７ａは、集水した雨水を柱材９から離れた位置から確実に排出することが可能となる。
【００４０】
図１に示すように、雨水排水装置７ａを鉄塔１の各柱材に取り付けることにより、各柱材を伝わる雨水を各柱材の外に排出することが可能となる。これにより、主柱材９を支持するコンクリート基礎部２にしみこむ雨水の量を減らすことが可能になり、コンクリート基礎部２の湿潤による腐食を防ぐことが可能となる。
【００４１】
＜第２の実施の形態の雨水排水装置の構成例＞
次に、本発明の雨水排水装置の第２の実施の形態について説明する。図６から図１０は、第２の実施の形態の雨水排水装置７ｂの構成を示す説明図である。図６は雨水排水装置７ｂの構成を示す斜視図である。図７は雨水排水装置７ｂ構成を示す側面図であり、図６のＯから見た状態を示す。図８は雨水排水装置７ｂの図６のＰ−Ｐ断面を示す。図９は図７のＲ−Ｒ断面を示し、図１０は図７のＱ−Ｑ断面を示す。
【００４２】
図６から図１０に示すように、雨水排水装置７ｂは、パイプ状の鋼管により構成される主柱材４又は斜材６の柱材１０に取り付けられる。雨水排水装置７ｂは、両端が排水端部１２ａとして開放された排水溝１２ｂを有し、柱材１０の周囲に取り付けられる排水レール１２と、柱材１０の周囲に取り付けられた排水レール１２の排水端部１２ａに取り付けられる端部処理具１４とを備える。
【００４３】
排水レール１２は、両方の排水端部１２ａが最下部に位置するように、ゴム磁石１２ｃにより柱材１０の周囲に取り付けられる。端部処理具１４は、ゴム磁石１４ｅを有し柱材１０に取り付けられる処理具取り付け部１４ａと、排水レール１２の両排水端部１２ａの間に位置する中心板１４ｂと、中心板１４ｂの上方で両排水端部１２ａを覆う傘部１４ｃと、両排水端部１２ａの下方に位置するＶ溝状の集排水部１４ｄとを備える。雨水排水装置７ｂが柱材１０に取り付けられた状態では、排水レール１２の両方の排水端部１２ａの近傍部が、端部処理具１４の処理具取り付け部１４ａに重なった状態となる。排水溝１２ｂは溝部の一例であり、排水レール１２は集排水部材の一例である。
【００４４】
排水レール１２及び端部処理具１４は、上述したようにゴム磁石を備え、ゴム磁石により柱材１０に取り付けられる。これにより、雨水排水装置７ｂの柱材１０に対する取り付けを容易に行うことが可能となる。
【００４５】
ゴム磁石１２ｃ及び１４ｅは、例えば、鋏等により容易に切断可能なゴム磁石により構成される。更に排水レール１２は、例えばゴム等の、鋏等により容易に切断可能な半軟性の部材により構成される。これにより、柱材１０の大きさ・形状等に合わせて、雨水排水装置７ｂの設置現場で、作業員により排水端部１２ａの切断を行うことが可能になる。よって、柱材１０の大きさ等に合わせて、別々の排出レール１２を有する雨水排水装置７ｂを用意する必要がなくなる。
【００４６】
＜第２の実施の形態の雨水排水装置の雨水排水例＞
次に雨水排水装置７ｂによる、柱材１０を伝う雨水の集水及び排水の例について説明する。柱材１０を伝う雨水は、排水レール１２の排水溝１２ｂにより集水され、図６から図１０の太矢印に示すように、排水溝１２ｂ内を流れて排水端部１２ａより排出され、各排水端部１２ａより排出された雨水はＶ溝状の集排水部１４ｄにより集水され雨水排水装置７ｂの外部に排出される。これにより、集水した雨水を一箇所で集中して排出することが可能となり、排出された雨水が落下する範囲を狭くすることが可能となる。集排水部１４ｄは第二集排水部材の一例である。
【００４７】
図１に示すように、雨水排水装置７ｂを鉄塔１の各柱材に取り付けることにより、各柱材を伝わる雨水を各柱材の外に排出することが可能となる。これにより、主柱材１０を支持するコンクリート基礎部２にしみこむ雨水の量を減らすことが可能になり、コンクリート基礎部２の湿潤による腐食を防ぐことが可能となる。
【００４８】
＜本実施の形態の塵芥除けの構成例＞
次に本実施の形態の塵芥除け８の構成について説明する。図１１から図１３は、塵芥除け８の構成例を示す説明図である。図１１は塵芥除け８を示す斜視図であり、図１２は塵芥除け８を示す平面図である。図１３は塵芥除け８を示す側面図であり、図１２のＴから見た状態を示している。図１３から図１５においては、山形鋼により構成される主柱材４ａの内側の面に設置される塵芥除け８の例を示している。
【００４９】
塵芥除け８は、コンクリート基礎部２により地面に支持される主柱材４ａの、コンクリート基礎部２の近傍部に取り付けられる。図１３から図１５に示すように、塵芥除け８は、主柱材４ａに取り付けられる主柱材取り付け部１５と、主柱材取り付け部１５に回動軸１６で所定量回動可能に連結された棒状の第一保持材１７と、回動軸１８で所定量回動可能に連結された２つの第二保持材１９とを備えて構成される。また、縦方向及び横方向に所定の間隔で組み合わされた複数の鋼線２０により構成される網部２１が、第一保持材１７及び第二保持材１９により保持される。
【００５０】
主柱材取り付け部１５は、回動軸１６により第一保持材１７に所定量回動可能に連結され、主柱材４ａの形状に応じたＬ字状部１５ａを有する連結部１５ｂを備える。主柱材取り付け部１５は、Ｌ字状部１５ａに回動軸１５ｃで所定量回動可能に取り付けられた２つの取り付け部１５ｄを備える。各取り付け部１５ｄはゴム磁石１５ｅを備えており、主柱材４ａに対して取り付け可能となる。
【００５１】
網部２１は第一保持材１７により上下方向に保持され、第二保持材１９により左右方向に把持された状態となる。また、図１１のＳ及び図１３のＵに示すように、網部２１を構成する鋼線２０は、第二保持材１９の下方に所定量突出する。これにより、塵芥除け８が主柱材４ａ及びコンクリート基礎部２に設置された状態において、第二保持材の下方に所定の隙間部が生じる。
【００５２】
また、第二保持材１９は、例えば鋏等で切断可能なゴム等の半軟性の部材により構成される。これにより、設置作業を行う作業員が、接地線の設置箇所等に応じて第二保持材１９の必要な箇所を容易に切断することが可能となる。
【００５３】
上述したような構成を備えることにより、塵芥除け８はコンクリート基礎部２の上部で主柱材４ａの近傍部を網部２１で覆った状態で設置される。これにより、コンクリート基礎部２の上部で主柱材４ａの近傍部に葉っぱ、埃等の塵芥が付着することを防ぐことが可能となる。これにより、コンクリート基礎部２の上部で主柱材４ａの近傍部に付着し溜まった塵芥に、主柱材４ａを伝わった雨水がしみこみ、この雨水によりコンクリート基礎部２及び主柱材４ａが腐食することを防ぐことが可能となる。
【００５４】
また、塵芥除け８はゴム磁石１５ｅを有する取り付け部１５ｄを備える主柱材取り付け部１５により、主柱材４ａに取り付けられる。これにより、コンクリート基礎部２及び主柱材４ａに対する塵芥除け８の設置を容易に行うことが可能となる。
【００５５】
また、塵芥除け８により、コンクリート基礎部２の上部で主柱材４ａの近傍部は、空気が流通する網部２１により覆われる。これにより、水密性の高いシート等で覆う場合と比較してコンクリート基礎部２の湿潤を防ぐことが可能となる。
【００５６】
更に、塵芥除け８は、主柱材４ａ及びコンクリート基礎部２に設置された状態で、第二保持材１９の下方に所定の隙間部を有する。これにより、塵芥除け８を設置した状態で接地線を主柱材に取り付けることが可能となる。また、第二保持材１９の下方に所定の隙間部を有することにより、網部２１に覆われた空間内に進入した細かい塵芥が、雨水等により網部２１に覆われた空間外へ流れ出る。これにより、網部２１に覆われた空間内に進入した細かい塵芥が溜まり、これらの塵芥に雨水がしみこむことによるコンクリート基礎部２及び主柱材４ａの腐食を防ぐことが可能となる。
【００５７】
また、塵芥除け８においては、主柱材取り付け部１５と第一保持材１７が回動軸１５ｃにより所定量回動自在に連結され、第二保持材１９が回動軸１５ｃにより所定量回動自在に連結される。このため、形状、設置角度等に応じて、回動軸１５ｃ及び回動軸１５ｃで、主柱材取り付け部１５、第一保持材１７及び第二保持材１９が互いに回動することにより、形状、設置角度等が異なる主柱材４ａ及びコンクリート基礎部２に対して、同一の塵芥除け８を取り付けることが可能となる。
【００５８】
＜本実施の形態の鉄塔のコンクリート基礎部の湿潤防止例＞
次に、本実施の形態の鉄塔１のコンクリート基礎部２の湿潤防止例について説明する。前述したように、鉄塔１に主柱材４及び斜材６の所定の箇所に図２から図１０で説明した雨水排水装置７（７ａ，７ｂ）を備える。これら雨水排水装置７ａ，７ｂは湿潤防止手段の一例である。これにより、各柱材４，５，６を伝わる雨水は雨水排水装置７ａ，７ｂにより集水され、図１の矢印Ａで示すように各柱材４，５，６の外へ排出される。これにより、主柱材４を支持するコンクリート基礎部２まで雨水が達して、コンクリート基礎部２にしみこむ雨水の量を減らすことができるから、コンクリート基礎部２の湿潤による腐食を防ぐことが可能になる。
【００５９】
また、鉄塔１に、コンクリート基礎部２の上部で主柱材４の近傍部に図１１から図１３で説明した塵芥除け８を備える。塵芥除け８も湿潤防止手段の一例である。これにより、コンクリート基礎部２の上部で主柱材４の近傍に葉っぱ、埃等の塵芥が溜まることを防ぐことができ、これらの塵芥にしみこんだ雨水によるコンクリート基礎部２及び主柱材４の腐食を防ぐことが可能となる。
【産業上の利用可能性】
【００６０】
本発明は、柱材がコンクリート基礎部で地面に支持される鉄塔、この鉄塔に設置される雨水排水装置及び塵芥除けに適用される。
【図面の簡単な説明】
【００６１】
【図１】本実施の形態の鉄塔の構成例を示す説明図である。
【図２】第１の実施の形態の雨水排水装置の平面図である。
【図３】第１の実施の形態の雨水排水装置の側面図である。
【図４】第１の実施の形態の雨水排水装置の平面図である。
【図５】第１の実施の形態の雨水排水装置の側面図である。
【図６】第２の実施の形態の雨水排水装置の斜視図である。
【図７】第２の実施の形態の雨水排水装置の側面図である。
【図８】第２の実施の形態の雨水排水装置の断面図である。
【図９】第２の実施の形態の雨水排水装置の断面図である。
【図１０】第２の実施の形態の雨水排水装置の断面図である。
【図１１】本実施の形態の塵芥除けの斜視図である。
【図１２】本実施の形態の塵芥除けの平面図である。
【図１３】本実施の形態の塵芥除けの側面図である。
【符号の説明】
【００６２】
１  鉄塔
２  コンクリート基礎部
３  地面
４  主柱材
６  斜材
７、７ａ、７ｂ  雨水排水装置
８  塵芥除け
９  柱材
１０  柱材
１１  排水レール
１１ａ  排水端部
１１ｂ  排水溝
１１ｃ  ゴム磁石
１２  排水レール
１２ａ  排水端部
１２ｂ  排水溝
１２ｃ  ゴム磁石
１３  連結部材
１４  端部処理具
１４ｄ  集排水部
１４ｅ  ゴム磁石
１７  第一保持材
１９  第二保持材
２０  鋼線
２１  網部
【図１】
2008180032.tif 000003
【図２】
2008180032.tif 000004
【図３】
2008180032.tif 000005
【図４】
2008180032.tif 000006
【図５】
2008180032.tif 000007
【図６】
2008180032.tif 000008
【図７】
2008180032.tif 000009
【図８】
2008180032.tif 000010
【図９】
2008180032.tif 000011
【図１０】
2008180032.tif 000012
【図１１】
2008180032.tif 000013
【図１２】
2008180032.tif 000014
【図１３】
2008180032.tif 000015